(57)【要約】【課題】衛星放送の２つの番組を受信可能とした装置および方法を提供する。【解決手段】制御部が複数の異なる衛星放送信号を時系列に切り替える制御信号をアンテナに出力し、選局部が、アンテナから入力する複数の放送信号の各々から特定番組を含むトランスポンダをそれぞれ選択し、デマルチプレクサが、選局部の選局した複数のトランスポンダの各々から、特定の番組データを抽出する。例えば、第１衛星の出力する垂直偏波信号に含まれる１つの番組と、第２衛星の出力する水平偏波信号に含まれる第２の番組を時分割で受信して、１つはテレビに出力し、１つは録画するといった処理が可能となる。【選択図】図１１
2012209624.tif 000002
【特許請求の範囲】
【請求項１】
複数の異なる衛星放送信号を時系列に切り替える制御信号をアンテナに出力する制御部と、
前記アンテナから入力する複数の放送信号の各々から特定番組を含むトランスポンダをそれぞれ選択する選局部と、
前記選局部の選局した複数のトランスポンダの各々から、特定の番組データを抽出するデマルチプレクサを有する衛星放送受信装置。
【請求項２】
前記制御部は、
入力部を介して入力される複数番組の選択情報に応じて、選択された複数番組を受信可能とした制御信号をアンテナに出力する請求項１に記載の衛星放送受信装置。
【請求項３】
前記制御部は、
複数の異なる衛星からの衛星放送信号の切り替え制御信号、または同一の衛星からの垂直偏波信号と水平偏波信号の切り替え制御信号の少なくともいずれかの制御信号をアンテナに出力する請求項１に記載の衛星放送受信装置。
【請求項４】
前記選局部は、
前記アンテナから入力する複数の放送信号の各々の受信期間単位で、特定番組を含むトランスポンダをそれぞれ選択し、
第１の放送信号の受信期間の信号から特定の第１番組を含む第１のトランスポンダの選択を行い、
第２の放送信号の受信期間の信号から特定の第２番組を含む第２のトランスポンダの選択を行う請求項１に記載の衛星放送受信装置。
【請求項５】
前記デマルチプレクサは、
前記選局部が第１の放送信号の受信期間の信号から選択した第１のトランスポンダから、特定の第１番組を含むデータを抽出し、
前記選局部が第２の放送信号の受信期間の信号から選択した第２のトランスポンダから、特定の第２番組を含むデータを抽出する処理を実行する請求項１に記載の衛星放送受信装置。
【請求項６】
前記衛星放送受信装置は、さらに、
前記デマルチプレクサの抽出した番組データに対する信号処理を実行する信号処理部を有する請求項１に記載の衛星放送受信装置。
【請求項７】
前記制御部は、
放送信号に設定された同期信号に基づいて、各放送信号の受信期間を設定した制御信号を生成して前記アンテナに出力する請求項１に記載の衛星放送受信装置。
【請求項８】
衛星放送受信装置において実行する衛星放送受信方法であり、
制御部が、複数の異なる衛星放送信号を時系列に切り替える制御信号をアンテナに出力するステップと、
選局部が、前記アンテナから入力する複数の放送信号の各々から特定番組を含むトランスポンダをそれぞれ選択する選局ステップと、
デマルチプレクサが、前記選局部の選局した複数のトランスポンダの各々から、特定の番組データを抽出するステップを実行する衛星放送受信方法。
【請求項９】
衛星放送受信装置において衛星放送受信処理を実行させるプログラムであり、
制御部に、複数の異なる衛星放送信号を時系列に切り替える制御信号をアンテナに出力させるステップと、
選局部に、前記アンテナから入力する複数の放送信号の各々から特定番組を含むトランスポンダをそれぞれ選択させる選局ステップと、
デマルチプレクサに、前記選局部の選局した複数のトランスポンダの各々から、特定の番組データを抽出させるステップを実行させるプログラム。
【発明の詳細な説明】
【技術分野】
【０００１】
本開示は、衛星放送受信装置、および衛星放送受信方法、並びにプログラムに関する。特に、複数番組の受信を行うことを可能とした衛星放送受信装置、および衛星放送受信方法、並びにプログラムに関する。
【背景技術】
【０００２】
昨今、テレビ番組の放送の一部は衛星を介して行われている。
衛星の送信信号は、例えば各家庭に備えられたアンテナ（パラボラアンテナ）によって受信された後、チューナにおいて選局がなされて、テレビなどに出力される。
【０００３】
現在、例えば、日本の衛星放送システムでは、複数の衛星が利用され、複数の衛星から垂直偏波信号や、水平偏波信号等の異なる信号形式を用いて多数のチャンネルに対応する多数のコンテンツ（番組）が放送されている。
各家庭のアンテナでは、例えば、ユーザがチューナに入力した番組選択情報に応じてチューナから入力される制御信号に応じて、選択番組を送信中の衛星および信号形式の放送波を受信可能な設定に制御し、ユーザの選択した番組を含む放送波を選択受信して受信信号をアンテナからチューナに出力する。
【０００４】
このようにして、複数の衛星から送信される複数の番組から１つの番組を選択してテレビに表示する等の処理を行っている。
なお、衛星放送システムを開示した従来技術としては、例えば特許文献１（特開２０００−６８９５２号公報）や、特許文献２（特開２０００−１３７６２号公報）がある。
【０００５】
しかしながら、上述したように、アンテナは、複数の衛星から送信される垂直偏波信号や、水平偏波信号等の異なる信号を受信可能であるが、アンテナからチューナに出力される信号はその中の１つの信号のみとなる。
【０００６】
例えば、２つの衛星として、第１衛星、第２衛星が利用され、それぞれにおいて垂直偏波信号、水平偏波信号を利用した構成では、アンテナは以下の４つの信号を受信可能となる。
（１）第１衛星の垂直偏波信号（１Ｖ）
（２）第１衛星の水平偏波信号（１Ｈ）
（３）第２衛星の垂直偏波信号（２Ｖ）
（４）第２衛星の水平偏波信号（２Ｈ）
【０００７】
各家庭に備えられた、アンテナではこれらの４つの信号を受信することができる。しかし、アンテナからチューナに出力可能な信号は、ユーザによって選択された番組が含まれる１つの信号のみとなる。
【０００８】
チューナは、ユーザによって選択された番組を含む信号のみをアンテナによって受信させるための制御信号をアンテナに出力して、アンテナの受信設定を変更して１つの信号のみを受信させる。
例えば具体的には、ＤＣレベルや変調信号の重畳の有無等によって、上記４つの信号を識別して１つの信号のみを選択受信して、チューナに出力する。
このような設定であるため、チューナ側では、同時に２つの異なるコンテンツ（番組）の受信ができず、例えば、１つの番組をテレビで視聴し、別の裏番組を録画するといったことができないといった問題がある。
【先行技術文献】
【特許文献】
【０００９】
【特許文献１】特開２０００−６８９５２号公報
【特許文献２】特開２０００−１３７６２号公報
【発明の概要】
【発明が解決しようとする課題】
【００１０】
本開示は、例えば上記問題点に鑑みてなされたものであり、複数の衛星放送信号を受信可能とする衛星放送受信装置、および衛星放送受信方法、並びにプログラムを提供することを目的とする。
【課題を解決するための手段】
【００１１】
本開示の第１の側面は、
複数の異なる衛星放送信号を時系列に切り替える制御信号をアンテナに出力する制御部と、
前記アンテナから入力する複数の放送信号の各々から特定番組を含むトランスポンダをそれぞれ選択する選局部と、
前記選局部の選局した複数のトランスポンダの各々から、特定の番組データを抽出するデマルチプレクサを有する衛星放送受信装置にある。
【００１２】
さらに、本開示の一実施態様において、前記制御部は、入力部を介して入力される複数番組の選択情報に応じて、選択された複数番組を受信可能とした制御信号をアンテナに出力する。
【００１３】
さらに、本開示の一実施態様において、前記制御部は、複数の異なる衛星からの衛星放送信号の切り替え制御信号、または同一の衛星からの垂直偏波信号と水平偏波信号の切り替え制御信号の少なくともいずれかの制御信号をアンテナに出力する。
【００１４】
さらに、本開示の一実施態様において、前記選局部は、前記アンテナから入力する複数の放送信号の各々の受信期間単位で、特定番組を含むトランスポンダをそれぞれ選択し、第１の放送信号の受信期間の信号から特定の第１番組を含む第１のトランスポンダの選択を行い、第２の放送信号の受信期間の信号から特定の第２番組を含む第２のトランスポンダの選択を行う。
【００１５】
さらに、本開示の一実施態様において、前記デマルチプレクサは、前記選局部が第１の放送信号の受信期間の信号から選択した第１のトランスポンダから、特定の第１番組を含むデータを抽出し、前記選局部が第２の放送信号の受信期間の信号から選択した第２のトランスポンダから、特定の第２番組を含むデータを抽出する処理を実行する。
【００１６】
さらに、本開示の一実施態様において、前記衛星放送受信装置は、さらに、前記デマルチプレクサの抽出した番組データに対する信号処理を実行する信号処理部を有する。
【００１７】
さらに、本開示の一実施態様において、前記制御部は、放送信号に設定された同期信号に基づいて、各放送信号の受信期間を設定した制御信号を生成して前記アンテナに出力する。
【００１８】
さらに、本開示の第２の側面は、
衛星放送受信装置において実行する衛星放送受信方法であり、
制御部が、複数の異なる衛星放送信号を時系列に切り替える制御信号をアンテナに出力するステップと、
選局部が、前記アンテナから入力する複数の放送信号の各々から特定番組を含むトランスポンダをそれぞれ選択する選局ステップと、
デマルチプレクサが、前記選局部の選局した複数のトランスポンダの各々から、特定の番組データを抽出するステップを実行する衛星放送受信方法にある。
【００１９】
さらに、本開示の第３の側面は、
衛星放送受信装置において衛星放送受信処理を実行させるプログラムであり、
制御部に、複数の異なる衛星放送信号を時系列に切り替える制御信号をアンテナに出力させるステップと、
選局部に、前記アンテナから入力する複数の放送信号の各々から特定番組を含むトランスポンダをそれぞれ選択させる選局ステップと、
デマルチプレクサに、前記選局部の選局した複数のトランスポンダの各々から、特定の番組データを抽出させるステップを実行させるプログラムにある。
【００２０】
なお、本開示のプログラムは、例えば、様々なプログラム・コードを実行可能な情報処理装置やコンピュータ・システムに対して、コンピュータ可読な形式で提供する記憶媒体、通信媒体によって提供可能なプログラムである。このようなプログラムをコンピュータ可読な形式で提供することにより、情報処理装置やコンピュータ・システム上でプログラムに応じた処理が実現される。
【００２１】
本開示のさらに他の目的、特徴や利点は、後述する本開示の実施例や添付する図面に基づくより詳細な説明によって明らかになるであろう。なお、本明細書においてシステムとは、複数の装置の論理的集合構成であり、各構成の装置が同一筐体内にあるものには限らない。
【発明の効果】
【００２２】
本開示の一実施例の構成によれば、衛星放送の２つの番組を受信可能とした装置および方法が実現される。
具体的には、例えば制御部が複数の異なる衛星放送信号を時系列に切り替える制御信号をアンテナに出力し、選局部が、アンテナから入力する複数の放送信号の各々から特定番組を含むトランスポンダをそれぞれ選択し、デマルチプレクサが、選局部の選局した複数のトランスポンダの各々から、特定の番組データを抽出する。例えば、第１衛星の出力する垂直偏波信号に含まれる１つの番組と、第２衛星の出力する水平偏波信号に含まれる第２の番組を時分割で受信して、１つはテレビに出力し、１つは録画するといった処理が可能となる。
【図面の簡単な説明】
【００２３】
【図１】衛星放送の受信システムの全体構成について説明する図である。
【図２】衛星放送の放送信号の構成例について説明する図である。
【図３】衛星放送の受信装置の構成例について説明する図である。
【図４】衛星放送を受信するアンテナの構成例について説明する図である。
【図５】衛星放送を受信するチューナの構成と処理例について説明する図である。
【図６】本開示に従った衛星放送の受信装置の構成例について説明する図である。
【図７】衛星放送の受信処理例について説明する図である。
【図８】衛星放送の受信処理例について説明する図である。
【図９】衛星放送の受信処理例について説明する図である。
【図１０】衛星放送の受信処理例について説明する図である。
【図１１】衛星放送の受信装置の構成例について説明する図である。
【図１２】同期信号を持つ放送信号の構成例について説明する図である。
【発明を実施するための形態】
【００２４】
以下、図面を参照しながら本開示の衛星放送受信装置、および衛星放送受信方法、並びにプログラムの詳細について説明する。なお、説明は以下の項目に従って行う。
１．衛星放送システムの概要について
２．複数番組を受信可能とした衛星放送の受信処理構成について
３．衛星放送受信装置の構成例について
４．同期信号を持つ放送信号の例について
５．本開示の構成のまとめ
【００２５】
［１．衛星放送システムの概要について］
まず、図１以下を参照して一般的な衛星放送システムの概要について説明する。
図１には、ＴＶ放送用の信号を出力する２つの衛星と、例えば家庭に備えられた受信用のアンテナ２１とアンテナの受信信号を入力してテレビなどに出力するための出力信号を生成するチューナ２２を示している。
【００２６】
図１に示す２つの衛星、第１衛星１１、第２衛星１２の各々は、図に示すように、２つの異なる信号、すなわち、垂直偏波信号と、水平偏波信号を並列に出力している。
従って、アンテナ２１は以下の４つの信号を受信可能となる。
（１）第１衛星の垂直偏波信号（１Ｖ）
（２）第１衛星の水平偏波信号（１Ｈ）
（３）第２衛星の垂直偏波信号（２Ｖ）
（４）第２衛星の水平偏波信号（２Ｈ）
各家庭に備えられた、アンテナ２１ではこれらの４つの信号を受信することができる。
【００２７】
これらの４つの信号には、様々なチャンネルに対応したコンテンツ（番組）が含まれる。具体例について、図２を参照して説明する。
図２には、上記の４つの信号、すなわち、
（１）第１衛星の垂直偏波信号（１Ｖ）
（２）第１衛星の水平偏波信号（１Ｈ）
（３）第２衛星の垂直偏波信号（２Ｖ）
（４）第２衛星の水平偏波信号（２Ｈ）
これらの信号の具体的な設定例を示している。
【００２８】
例えば、図２に示す（１Ｖ）は、第１衛星の垂直偏波信号（１Ｖ）の構成を示している。
第１衛星の垂直偏波信号（１Ｖ）は複数のトランスポンダ（Ｔｒ＃ｎ）によって構成されている。
１つのトランスポンダには複数の番組コンテンツが含まれる。図２示すＡ，Ｂ，Ｃ・・・、ア、イ、ウ、・・・がそれぞれ、ユーザの選択可能な番組（チャンネル）に対応する。ユーザはこれらの番組単位での番組選択が可能となる。
【００２９】
第１衛星の垂直偏波信号（１Ｖ）には、以下の複数のトランスポンダが含まれる。
番組Ａ〜Ｃを含むトランスポンダ（Ｔｒ＃１）
番組Ｄ〜Ｆを含むトランスポンダ（Ｔｒ＃２）
番組Ｇ〜Ｉを含むトランスポンダ（Ｔｒ＃３）
：
【００３０】
同様に、第１衛星の水平偏波信号（１Ｈ）にも、以下の複数のトランスポンダが含まれる。
番組ア〜ウを含むトランスポンダ（Ｔｒ＃１）
番組エ〜カを含むトランスポンダ（Ｔｒ＃２）
番組キ〜ケを含むトランスポンダ（Ｔｒ＃３）
：
【００３１】
その他の各信号にも、複数の番組を含む複数のトランスポンダが設定されている。
ユーザはトランスポンダに含まれる番組単位での番組選択が可能となる。
具体的には、ユーザがチューナ２２の入力部を介して「番組Ａ」の視聴を選択した場合の処理について図３を参照して説明する。
【００３２】
ユーザがチューナ２２の入力部を介して「番組Ａ」の視聴を選択した場合、チューナ２２は、図３に示すように、アンテナ２１に対して、第１衛星の垂直偏波信号（１Ｖ）を受信可能とするための制御信号を出力する。
【００３３】
アンテナ２１は、この制御信号に従って、受信設定を制御して、第１衛星の垂直偏波信号（１Ｖ）のみを受信する設定に調整される。
この結果、アンテナ２１は、第１衛星の垂直偏波信号（１Ｖ）のみを受信してチューナ２２に出力する。
【００３４】
アンテナ２１は、例えば図４に示すように、
（１）第１衛星の垂直偏波信号（１Ｖ）
（２）第１衛星の水平偏波信号（１Ｈ）
（３）第２衛星の垂直偏波信号（２Ｖ）
（４）第２衛星の水平偏波信号（２Ｈ）
これらの各信号を受信する受信部３１と、これらの信号を通過させるＲＦアンプ部３２と、ローカル発振器３３と、ＩＦアンプ３４、出力部３５を有する。
【００３５】
ＲＦアンプ部３２は、チューナ２２から入力する選択番組に応じた制御信号に応じて、１つの信号のみを通過させるように選択的に動作する。この選択動作によって、上記（１）〜（４）のいずれか１つの信号のみが出力部３５を介してチューナ２２に入力される。
【００３６】
図５を参照して、チューナ２２におけるその後の処理について説明する。
図５は、ユーザがチューナ２２の入力部を介して「番組Ａ」の視聴を選択し、チューナ２２が、図３に示すように、アンテナ２１に対して、第１衛星の垂直偏波信号（１Ｖ）を受信可能とするための制御信号を出力し、アンテナ２１が第１衛星の垂直偏波信号（１Ｖ）のみを受信してチューナ２２に出力した場合の処理を示している。
【００３７】
チューナ２２には、アンテナから第１衛星の垂直偏波信号（１Ｖ）が入力される。この信号（１Ｖ）は、図２を参照して説明したように、
番組Ａ〜Ｃを含むトランスポンダ（Ｔｒ＃１）
番組Ｄ〜Ｆを含むトランスポンダ（Ｔｒ＃２）
番組Ｇ〜Ｉを含むトランスポンダ（Ｔｒ＃３）
：
これらの複数のトランスポンダによって構成されている。
【００３８】
チューナの選局部５１では、
これらのトランスポンダから、ユーザの選択した番組を含むトランスポンダを選択する。例えば、各トランスポンダは異なる周波数の信号によって構成され、ユーザの選択した「番組Ａ」を含むトランスポンダを周波数に基づいて選択する。
【００３９】
図に示す例では、
ユーザの選択した「番組Ａ」を含むトランスポンダは、トランスポンダ（Ｔｒ＃１）であり、トランスポンダ（Ｔｒ＃１）が選択される。
選択したトランスポンダ（Ｔｒ＃１）には、番組Ａ〜Ｃが含まれる。
この選択トランスポンダ（Ｔｒ＃１）は、チューナ２２のデマルチプレクサ（ＤＭＵＸ）５２に入力され、ユーザの選択した「番組Ａ」の構成パケットのみを選択する処理を実行する。
【００４０】
１つのトランスポンダには複数の番組（コンテンツ）のパケットが混在するが、各パケットには、パケットＩＤ（ＰＩＤ）が設定され、デマルチプレクサ（ＤＭＵＸ）５２は、各パケットに設定されたＰＩＤに基づいて、ユーザの選択した「番組Ａ」のパケットのみを選択する。
【００４１】
このように選択された番組Ａのパケットは、次に、チューナ２２の信号処理部５３に入力される。
信号処理部５３では、例えばスクランブル解除処理としてのデスクランブル処理や、デコード処理等の信号処理を実行し、表示装置に出力可能な「番組Ａ」の映像データと音声データを生成して出力する。出力データは例えばテレビ等の表示装置やスピーカを介して出力される。
【００４２】
ここまで、一般的な衛星放送の受信処理、出力処理について説明した。
上記の説明から明らかなように、
アンテナは、複数の信号、例えば、図１に示す例では、
（１）第１衛星の垂直偏波信号（１Ｖ）
（２）第１衛星の水平偏波信号（１Ｈ）
（３）第２衛星の垂直偏波信号（２Ｖ）
（４）第２衛星の水平偏波信号（２Ｈ）
これらの４つの信号を受信することができる。
【００４３】
しかし、アンテナからチューナに出力可能な信号は、ユーザによって選択された番組が含まれる１つの信号のみとなり、例えば、１つの番組をテレビで見て、同時に放送されている別の裏番組を録画するといったことができない。
以下では、このような問題を解決する構成例について説明する。
【００４４】
［２．複数番組を受信可能とした衛星放送の受信処理構成について］
次に、複数番組を受信可能とした衛星放送の受信処理構成について説明する。
図６以下を参照して、複数番組を受信可能とした衛星放送受信装置の構成例について説明する。
【００４５】
図６に示す構成は、先に図１、図２を参照して説明した一般的な衛星放送の受信システムと同様、アンテナ１００と、チューナ２００からなる構成を示している。
以下、説明する例は、アンテナ１００は、先に図１、図２を参照して説明したと同様、２つの衛星から以下の４つの信号を受信できる構成を持つものとする。
（１）第１衛星の垂直偏波信号（１Ｖ）
（２）第１衛星の水平偏波信号（１Ｈ）
（３）第２衛星の垂直偏波信号（２Ｖ）
（４）第２衛星の水平偏波信号（２Ｈ）
【００４６】
図３を参照して説明した構成との違いは、チューナ２００が、アンテナ１００に対して出力する制御信号である。
図６に示すチューナ２００は、アンテナ１００に対して、上記４つの信号（（１Ｖ），（１Ｈ），（２Ｖ），（２Ｈ））から複数の信号を順次切り替えて受信することを可能とする制御信号を出力する。
【００４７】
例えば、図６に示すように、
（１）第１衛星の垂直偏波信号（１Ｖ）
（２）第１衛星の水平偏波信号（１Ｈ）
これらの２つの異なる信号を交互に受信可能とするための制御信号を時系列に変更して出力する。
【００４８】
具体的な制御信号の例を図７に示す。
図７には、チューナ２００がアンテナ１００に出力する２つの制御信号の例（ａ），（ｂ）を示している。すなわち、
（ａ）第１衛星−垂直偏波信号（１Ｖ）と、第１衛星−水平偏波信号（１Ｈ）の交互受信を実行させる制御信号
（ｂ）第１衛星−垂直偏波信号（１Ｖ）と、第２衛星−水平偏波信号（２Ｈ）の交互受信を実行させる制御信号、
これらの２つの例である。
【００４９】
例えば、（ａ）に示す例では、
時間ｔ１〜ｔ２：第１衛星−垂直偏波信号（１Ｖ）の受信設定、
時間ｔ２〜ｔ３：第１衛星−水平偏波信号（１Ｈ）の受信設定、
時間ｔ３〜ｔ４：第１衛星−垂直偏波信号（１Ｖ）の受信設定、
時間ｔ４〜ｔ５：第１衛星−水平偏波信号（１Ｈ）の受信設定、
：
以下、同様に交互に受信設定を切り替えるための制御信号がチューナ２００からアンテナ１００に出力される。
【００５０】
この設定の制御信号を入力したアンテナ１００は、以下のような時分割の信号受信を行うことになる。
時間ｔ１〜ｔ２：第１衛星−垂直偏波信号（１Ｖ）の受信、
時間ｔ２〜ｔ３：第１衛星−水平偏波信号（１Ｈ）の受信、
時間ｔ３〜ｔ４：第１衛星−垂直偏波信号（１Ｖ）の受信、
時間ｔ４〜ｔ５：第１衛星−水平偏波信号（１Ｈ）の受信、
：
以下、同様に交互に異なる放送信号を受信する。
【００５１】
また、図７（ｂ）に示す例では、
時間ｔ１〜ｔ２：第１衛星−垂直偏波信号（１Ｖ）の受信設定、
時間ｔ２〜ｔ３：第２衛星−水平偏波信号（２Ｈ）の受信設定、
時間ｔ３〜ｔ４：第１衛星−垂直偏波信号（１Ｖ）の受信設定、
時間ｔ４〜ｔ５：第２衛星−水平偏波信号（２Ｈ）の受信設定、
：
以下、同様に交互に受信設定を切り替えるための制御信号がチューナ２００からアンテナ１００に出力される。
【００５２】
この設定の制御信号を入力したアンテナ１００は、以下のような時分割の信号受信を行うことになる。
時間ｔ１〜ｔ２：第１衛星−垂直偏波信号（１Ｖ）の受信、
時間ｔ２〜ｔ３：第２衛星−水平偏波信号（２Ｈ）の受信、
時間ｔ３〜ｔ４：第１衛星−垂直偏波信号（１Ｖ）の受信、
時間ｔ４〜ｔ５：第２衛星−水平偏波信号（２Ｈ）の受信、
：
以下、同様に交互に異なる放送信号を受信する。
【００５３】
このようにアンテナ１００は、チューナ２００から入力する制御信号に基づいて受信する放送波を順次、切り替えて、チューナ２００に提供する。
【００５４】
なお、図６に示す例では、チューナ２００側で、複数の設定変更用の制御信号を交互に出力する設定としているが、例えば、アンテナ１００側にコマンド解釈機能等が備わっている場合には、チューナは予め既定した制御信号識別情報のみを出力し、アンテナ１００側のデータ処理部において、識別情報をら解釈して受信設定の交互切り替えを実行する構成としてもよい。
【００５５】
ここでは、図６に示すように、チューナ２００が、複数の異なる信号の受信設定を実行させる制御信号を順次切り替えて出力するものとして説明する。
アンテナ１００は、チューナ２００からの制御信号に応じて、複数の異なる信号の受信設定を順次切り替える。
以下では、図６、図７（ａ）に示すように、
（１）第１衛星の垂直偏波信号（１Ｖ）、
（２）第１衛星の水平偏波信号（１Ｈ）、
これら２つの放送波の受信切り替え情報からなる制御信号を利用した場合の処理例について説明する。
【００５６】
上記の制御により、チューナ２００には、
（１）第１衛星の垂直偏波信号（１Ｖ）、
（２）第１衛星の水平偏波信号（１Ｈ）、
これらの２つの信号が交互に入力される。
この２つの信号が交互に入力されるチューナ２００における処理について、図８以下を参照して説明する。
【００５７】
図８は、チューナ２００内の選局部２０１の処理を示している。
チューナ２００には、アンテナ１００から、
（１）第１衛星の垂直偏波信号（１Ｖ）、
（２）第１衛星の水平偏波信号（１Ｈ）、
これらの２つの信号が交互に入力される。
図８に示す入力データ３０１はチューナ２００に対する入力データである。
ただし、図８に示す入力データ３０１には、
（１）第１衛星の垂直偏波信号（１Ｖ）、
（２）第１衛星の水平偏波信号（１Ｈ）、
これらの全体を示しているが、これらの全てがチューナ２００に入力されるのではなく、上記（１Ｖ），（１Ｈ）の各信号が時分割で交互に入力される。
【００５８】
選局部２０１は、時分割で交互に入力される（１Ｖ），（１Ｈ）の各信号から特定の２つの番組（チャンネル）を含むトランスポンダの選択を行う。
【００５９】
（１）第１衛星の垂直偏波信号（１Ｖ）は、図２を参照して説明したように、
番組Ａ〜Ｃを含むトランスポンダ（Ｔｒ＃１）
番組Ｄ〜Ｆを含むトランスポンダ（Ｔｒ＃２）
番組Ｇ〜Ｉを含むトランスポンダ（Ｔｒ＃３）
：
これらの複数のトランスポンダによって構成されている。
【００６０】
また、
（２）第１衛星の水平偏波信号（１Ｈ）は、
番組ア〜ウを含むトランスポンダ（Ｔｒ＃１）
番組エ〜カを含むトランスポンダ（Ｔｒ＃２）
番組キ〜ケを含むトランスポンダ（Ｔｒ＃３）
：
これらの複数のトランスポンダによって構成されている。
【００６１】
チューナ２００の選局部２０１では、
これらのトランスポンダから、ユーザの選択した番組を含むトランスポンダを選択する。
ここでは、ユーザが、
テレビ表示用の番組として「番組Ａ」を選択し、
録画用の番組として「番組ク」を選択、
これらの２つの番組を選択したものとして説明する。
【００６２】
選局部２０１は、これらの２つの番組「番組Ａ」と「番組ク」の選択情報に従って、各受信信号の各トランスポンダから、２つの番組の選択処理を実行する。
前述したように、例えば、各トランスポンダは異なる周波数の信号によって構成され、選局部２０１では、ユーザの選択した「番組Ａ」と「番組ク」を含むトランスポンダの周波数に基づくトランスポンダ選択処理を実行する。
【００６３】
ユーザの選択した「番組Ａ」を含むトランスポンダは、
第１衛星の垂直偏波信号（１Ｖ）のトランスポンダ（１Ｖ−Ｔｒ＃１）であり、第１衛星の垂直偏波信号（１Ｖ）の受信期間においては、第１衛星の垂直偏波信号（１Ｖ）のトランスポンダ（１Ｖ−Ｔｒ＃１）が選択される。
また、ユーザの選択した「番組ク」を含むトランスポンダは、
第１衛星の水平偏波信号（１Ｈ）のトランスポンダ（１Ｈ−Ｔｒ＃３）であり、第１衛星の水平偏波信号（１Ｈ）の受信期間においては、第１衛星の水平偏波信号（１Ｈ）のトランスポンダ（１Ｈ−Ｔｒ＃３）が選択される。
【００６４】
図８に示す選局データ３０２が、選局部２０１において実行される２つの放送信号の２つのトランスポンダ、すなわち、
（１）第１衛星の垂直偏波信号（１Ｖ）のトランスポンダ（Ｔｒ＃１）、
（２）第１衛星の水平偏波信号（１Ｈ）のトランスポンダ（Ｔｒ＃３）、
これらの２つのトランスポンダの選択処理例を示している。
【００６５】
図８に示す選局データ３０２は、横軸が時間（ｔ）であり、
各時間（ｔ１〜ｔ７）において、２つの放送波に含まれる２つのトランスポンダの受信期間と非受信期間を区別して示している。
【００６６】
各トランスポンダの受信期間は、図７（ａ）に示す対応と同様であり、以下の設定となる。
ｔ１〜ｔ２：第１衛星の垂直偏波信号（１Ｖ）のトランスポンダ（Ｔｒ＃１）の受信期間、
ｔ２〜ｔ３：第１衛星の水平偏波信号（１ｈ）のトランスポンダ（Ｔｒ＃３）の受信期間、
ｔ３〜ｔ４：第１衛星の垂直偏波信号（１Ｖ）のトランスポンダ（Ｔｒ＃１）の受信期間、
ｔ４〜ｔ５：第１衛星の水平偏波信号（１ｈ）のトランスポンダ（Ｔｒ＃３）の受信期間、
以下、交互に受信信号が切り替えられる。
【００６７】
図に示すように、
第１衛星の垂直偏波信号（１Ｖ）のトランスポンダ（Ｔｒ＃１）は、番組Ａ〜Ｃを含み、
第１衛星の水平偏波信号（１Ｈ）のトランスポンダ（Ｔｒ＃３）は、番組キ〜ケを含む。
【００６８】
ここで、各トランスポンダにおける番組の送信シーケンスは、
第１衛星の垂直偏波信号（１Ｖ）のトランスポンダ（Ｔｒ＃１）では、
Ａ，Ｂ，Ｃ，Ａ，Ｂ，Ｃ，Ａ，Ｂ・・・
このように、各番組を含むパケットをシーケンシャルに時分割送信している。
同様に、
第１衛星の水平偏波信号（１Ｈ）のトランスポンダ（Ｔｒ＃３）では、
キ，ク，ケ，キ，ク，ケ，キ，ク・・・
このように、各番組を含むパケットをシーケンシャルに時分割送信している。
【００６９】
従って、図８に示す選局データ３０２のように、
第１衛星の垂直偏波信号（１Ｖ）の受信期間に「番組Ａ」、
第１衛星の水平偏波信号（１Ｈ）の受信期間に「番組ク」、
これら２つの番組対応のデータ（パケット）を受信することが可能となる。
【００７０】
選局部２０１は、図８に示す選局データ３０２のように、
第１衛星の垂直偏波信号（１Ｖ）の受信期間に「番組Ａ」を含むトランスポンダ（Ｔｒ＃１）を選択し、
第１衛星の水平偏波信号（１Ｈ）の受信期間に「番組ク」を含むトランスポンダ（Ｔｒ＃３）を選択する。
【００７１】
すなわち、
ｔ１〜ｔ２：第１衛星の垂直偏波信号（１Ｖ）から、「番組Ａ」を含むトランスポンダ（Ｔｒ＃１）を選択、
ｔ２〜ｔ３：第１衛星の水平偏波信号（１Ｈ）から、「番組ク」を含むトランスポンダ（Ｔｒ＃３）を選択、
ｔ３〜ｔ４：第１衛星の垂直偏波信号（１Ｖ）から、「番組Ａ」を含むトランスポンダ（Ｔｒ＃１）を選択、
ｔ４〜ｔ５：第１衛星の水平偏波信号（１Ｈ）から、「番組ク」を含むトランスポンダ（Ｔｒ＃３）を選択、
以下、同様の処理を繰り返す。
【００７２】
選局部２０１は、これら、２つの放送波から交互に選択したトランスポンダをチューナ２００のデマルチプレクサ（ＤＭＵＸ）２０２に提供する。
【００７３】
チューナ２００のデマルチプレクサ（ＤＭＵＸ）２０２の処理について、図９を参照して説明する。
デマルチプレクサ（ＤＭＵＸ）２０２は、選局部２０１が選択したトランスポンダである選局データ３０２を受領する。
【００７４】
選局データ３０２は、先に図８を参照して説明したように、
第１衛星の垂直偏波信号（１Ｖ）の「番組Ａ」を含むトランスポンダ（Ｔｒ＃１）、
第１衛星の水平偏波信号（１Ｈ）の「番組ク」を含むトランスポンダ（Ｔｒ＃３）、
これらのデータが交互に含まれるデータである。
【００７５】
デマルチプレクサ（ＤＭＵＸ）２０２は、これらの各トランスポンダから、ユーザの選択した「番組Ａ」と「番組ク」のデータ（パケット）のみを選択する処理を実行する。
【００７６】
各受信期間に受信したトランスポンダには、ユーザの選択した「番組Ａ」と「番組ク」以外の番組（コンテンツ）のパケットも混在するが、各パケットには、パケットＩＤ（ＰＩＤ）が設定され、デマルチプレクサ（ＤＭＵＸ）２０２は、各パケットに設定されたＰＩＤに基づいて、ユーザの選択した番組のパケットのみを選択する。
【００７７】
すなわち、以下のようなデータ選択処理を実行する。
ｔ１〜ｔ２：第１衛星の垂直偏波信号（１Ｖ）のトランスポンダ（Ｔｒ＃１）から「番組Ａ」のデータ（パケット）を選択、
ｔ２〜ｔ３：第１衛星の水平偏波信号（１Ｈ）のトランスポンダ（Ｔｒ＃３）から「番組ク」のデータ（パケット）を選択、
ｔ３〜ｔ４：第１衛星の垂直偏波信号（１Ｖ）のトランスポンダ（Ｔｒ＃１）から「番組Ａ」のデータ（パケット）を選択、
ｔ４〜ｔ５：第１衛星の水平偏波信号（１Ｈ）のトランスポンダ（Ｔｒ＃３）から「番組ク」のデータ（パケット）を選択、
以下、同様の処理を繰り返す。
【００７８】
このように選択された結果が、図９に示す選択コンテンツ（選択番組）３０３である。
図９に示すように、選択コンテンツ３０３は、
番組Ａ，３０３−１、
番組ク，３０３−２、
これらの２つの番組データとなる。
【００７９】
これらの２つの番組のパケットは、次に、チューナ２００の信号処理部２０３に入力される。
信号処理部２０３の処理例を図１０に示す。
図１０に示す信号処理部２０３では、例えばスクランブル解除処理としてのデスクランブル処理や、デコード処理等の信号処理を実行する。
本例では、２つの番組データ、すなわち、
番組Ａ，３０３−１、
番組ク，３０３−２、
これらの２つの番組データに対して信号処理を実行する。
【００８０】
信号処理装置２０３において信号処理のなされたコンテンツデータは、テレビなどの表示装置に出力され表示される。あるいはハードディスクなどの録画機器に出力され記録される。
図１０に示す例では、
番組Ａは、テレビ表示用のコンテンツとして出力し、
番組クは、録画用のコンテツとして記録部に出力した例を示している。
【００８１】
このように、複数の異なる放送波をアンテナにおいて時分割受信し、チューナに出力し、チューナ側で受信期間の特定の番組データ抽出する処理を行うことで、２つの番組の受信を行うことが可能となる。
【００８２】
［３．衛星放送受信装置の構成例について］
次に、上述した複数の番組受信を可能とした装置の構成例について図１１を参照して説明する。
図１１には、図６〜図１０を参照して説明したアンテナ１００とチューナ２００の構成を示している。
【００８３】
チューナ２００は、選局部２０１、デマルチプレクサ（ＤＭＵＸ）２０２、信号処理部２０３、コントローラ（制御部）２０４、入力部２０５、メモリ２０６を有する。
【００８４】
アンテナ１００は、チューナ２００のコントローラ（制御部）２０４の出力する制御信号に従って、複数の異なる放送波を時系列に切り替えて受信する。
コントローラ（制御部）２０４は、入力部２０５を介して入力されるユーザの複数の番組選択情報に応じて、複数の番組を受信するための制御信号をアンテナ１００に出力する。
【００８５】
選局部２０１は、先に図８を参照して説明した処理を実行する。
すなわち、選局部２０１は、時分割で交互に入力される複数の放送信号（例えば（１Ｖ），（１Ｈ），（２Ｖ），（２Ｈ）等の任意の組み合わせ）の各信号から、ユーザの選択した複数の番組（チャンネル）を含むトランスポンダの選択を行う。
【００８６】
デマルチプレクサ（ＤＭＵＸ）２０２は、先に図９を参照して説明した処理を実行する。
すなわち、選局部２０１が選択したトランスポンダを受領し、さらに、トランスポンダから、ユーザの選択した番組対応のデータのみを選択する処理を行う。
例えば、図９を参照して説明した処理では、
各放送信号の受信期間に応じて、例えば以下の処理を行う。
ｔ１〜ｔ２：第１衛星の垂直偏波信号（１Ｖ）のトランスポンダ（Ｔｒ＃１）から「番組Ａ」のデータ（パケット）を選択、
ｔ２〜ｔ３：第１衛星の水平偏波信号（１Ｈ）のトランスポンダ（Ｔｒ＃３）から「番組ク」のデータ（パケット）を選択、
このような処理によって、２つの番組データを選択する。
【００８７】
信号処理部２０３は、先に図１０を参照して説明した処理を実行する。
すなわち、デマルチプレクサ（ＤＭＵＸ）２０２から入力する番組データに対して、例えばスクランブル解除処理としてのデスクランブル処理や、デコード処理等の信号処理を実行する。
【００８８】
メモリ２０６は、コントローラ（制御部）２０４の実行するプログラム、データ処理に必要となるデータの記録領域、制御信号の設定情報の格納領域等に用いられる。
【００８９】
［４．同期信号を持つ放送信号の例について］
次に、同期信号を持つ放送信号の例について図１２を参照して説明する。
先に説明したように、複数の放送信号を切り替えて受信する場合、１つの放送信号には受信期間と非受信期間が発生する。
図８等を参照して説明した処理例では、受信期間にユーザの選択した番組である「番組Ａ」および「番組ク」が設定されるように受信期間を設定している。
【００９０】
しかし、放送局によって送信される放送信号内の番組配列が変更される場合もあり、この番組配列についての情報を持たずに受信期間内に必要とする番組を確実に受信する制御を行うことは困難な場合がある。
【００９１】
このような場合、図１２に示す同期信号５０１を持つ放送信号を利用する。
例えば同期信号５０１から、
期間ｔａ〜ｔｂ＝番組ｘ、
期間ｔｂ〜ｔｃ＝番組ｙ、
期間ｔｃ〜ｔｄ＝番組ｚ、
このような設定情報（番組配列情報）を予め放送局から受信し、チューナのメモリに格納する。
【００９２】
チューナのコントローラ（制御部）は、この設定情報（番組配列情報）に基づいて、各放送信号の受信期間と非受信期間を設定した制御信号を生成してアンテナに出力する。
このような制御を行うことで、ユーザの選択番組の番組データを確実に受信期間に受信することが可能となる。
【００９３】
なお、放送局は、放送局の送出する番組情報から並列受信可能な番組リストを生成してユーザ側の受信機に提供し、例えば番組表に併せて表示可能として、視聴者に対して、並列受信可能な番組と並列受信できない番組とを識別させる構成としてもよい。
例えば、図１２に示す放送信号において、視聴番組がＡである場合、番組Ａと受信期間が重ならない番組ク、ケは番組Ａとともに受信し、例えば録画可能であるが、番組キは、番組Ａと受信期間が重なるため、並列受信ができない。
このような並列受信可能な番組の組み合わせ情報、あるいは並列受信不可能な番組の組み合わせ情報をユーザ（視聴者）に提供することで、視聴者は間違いなく、確実に受信可能な番組の組み合わせを選択することが可能となる。
【００９４】
［５．本開示の構成のまとめ］
以上、特定の実施例を参照しながら、本開示の実施例について詳解してきた。しかしながら、本開示の要旨を逸脱しない範囲で当業者が実施例の修正や代用を成し得ることは自明である。すなわち、例示という形態で本発明を開示してきたのであり、限定的に解釈されるべきではない。本開示の要旨を判断するためには、特許請求の範囲の欄を参酌すべきである。
【００９５】
なお、本明細書において開示した技術は、以下のような構成をとることができる。
（１）複数の異なる衛星放送信号を時系列に切り替える制御信号をアンテナに出力する制御部と、
前記アンテナから入力する複数の放送信号の各々から特定番組を含むトランスポンダをそれぞれ選択する選局部と、
前記選局部の選局した複数のトランスポンダの各々から、特定の番組データを抽出するデマルチプレクサを有する衛星放送受信装置。
【００９６】
（２）前記制御部は、入力部を介して入力される複数番組の選択情報に応じて、選択された複数番組を受信可能とした制御信号をアンテナに出力する前記（１）に記載の衛星放送受信装置。
（３）前記制御部は、複数の異なる衛星からの衛星放送信号の切り替え制御信号、または同一の衛星からの垂直偏波信号と水平偏波信号の切り替え制御信号の少なくともいずれかの制御信号をアンテナに出力する前記（１）または（２）に記載の衛星放送受信装置。
【００９７】
（４）前記選局部は、前記アンテナから入力する複数の放送信号の各々の受信期間単位で、特定番組を含むトランスポンダをそれぞれ選択し、第１の放送信号の受信期間の信号から特定の第１番組を含む第１のトランスポンダの選択を行い、第２の放送信号の受信期間の信号から特定の第２番組を含む第２のトランスポンダの選択を行う前記（１）〜（３）いずれかに記載の衛星放送受信装置。
（５）前記デマルチプレクサは、前記選局部が第１の放送信号の受信期間の信号から選択した第１のトランスポンダから、特定の第１番組を含むデータを抽出し、前記選局部が第２の放送信号の受信期間の信号から選択した第２のトランスポンダから、特定の第２番組を含むデータを抽出する処理を実行する前記（１）〜（４）いずれかに記載の衛星放送受信装置。
【００９８】
（６）前記衛星放送受信装置は、さらに、前記デマルチプレクサの抽出した番組データに対する信号処理を実行する信号処理部を有する前記（１）〜（５）いずれかに記載の衛星放送受信装置。
（７）前記制御部は、放送信号に設定された同期信号に基づいて、各放送信号の受信期間を設定した制御信号を生成して前記アンテナに出力する前記（１）〜（６）いずれかに記載の衛星放送受信装置。
【００９９】
また、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。例えば、プログラムは記録媒体に予め記録しておくことができる。記録媒体からコンピュータにインストールする他、ＬＡＮ（Ｌｏｃａｌ  Ａｒｅａ  Ｎｅｔｗｏｒｋ）、インターネットといったネットワークを介してプログラムを受信し、内蔵するハードディスク等の記録媒体にインストールすることができる。
【０１００】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【０１０１】
以上、説明したように、本開示の一実施例の構成によれば、衛星放送の２つの番組を受信可能とした装置および方法が実現される。
具体的には、例えば制御部が複数の異なる衛星放送信号を時系列に切り替える制御信号をアンテナに出力し、選局部が、アンテナから入力する複数の放送信号の各々から特定番組を含むトランスポンダをそれぞれ選択し、デマルチプレクサが、選局部の選局した複数のトランスポンダの各々から、特定の番組データを抽出する。例えば、第１衛星の出力する垂直偏波信号に含まれる１つの番組と、第２衛星の出力する水平偏波信号に含まれる第２の番組を時分割で受信して、１つはテレビに出力し、１つは録画するといった処理が可能となる。
【符号の説明】
【０１０２】
１１  第１衛星
１２  第２衛星
２１  アンテナ
２２  チューナ
３１  信号受信部
３２  ＲＦアンプ
３３  ローカル発振器
３４  ＩＦアンプ
３５  出力部
５１  選局部
５２  デマルチプレクサ（ＤＭＵＸ）
５３  信号処理部
１００  アンテナ
２００  チューナ
２０１  選局部
２０２  デマルチプレクサ（ＤＭＵＸ）
２０３  信号処理部
２０４  コントローラ（制御部）
２０５  メモリ
２０６  入力部
５０１  同期信号
【図２】
2012209624.tif 000003
【図４】
2012209624.tif 000004
【図５】
2012209624.tif 000005
【図７】
2012209624.tif 000006
【図８】
2012209624.tif 000007
【図９】
2012209624.tif 000008
【図１０】
2012209624.tif 000009
【図１２】
2012209624.tif 000010
【図１】
2012209624.tif 000011
【図３】
2012209624.tif 000012
【図６】
2012209624.tif 000013
【図１１】
2012209624.tif 000014